(57)【要約】      （修正有）【課題】鋭角を成す角部において、コーナー暗部が発生しない異形液晶表示装置を提供する。【解決手段】異形液晶表示装置において、ボトムフレーム１５０と、ボトムフレーム１５０上に位置するバックライトユニット１２０であって、複数のＬＥＤを含むＬＥＤアセンブリ１２８と、底面２１０および底面２１０の縁部から上向きに折り曲げられた側面部２２０を有する反射板２００と、複数のＬＥＤおよび反射板２００の底面２１０の上部に離隔して位置する拡散板１２３を含むバックライトユニット１２０と、バックライトユニット１２０の上部に位置する液晶パネル１１０と、を備え、反射板２００は、隣り合う側面部２２０が成し且つ鋭角を有する少なくとも１つの角部を含み、隣り合う側面部が成す角部に、輝度向上部２３０が備えられる。【選択図】図１
2019091036.tif 000002
【特許請求の範囲】
【請求項１】
異形液晶表示装置において、
ボトムフレームと、
前記ボトムフレーム上に位置するバックライトユニットであって、複数のＬＥＤを含むＬＥＤアセンブリと、底面および前記底面の縁部から上向きに折り曲げられた側面部を有する反射板と、前記複数のＬＥＤおよび前記反射板の底面の上部に離隔して位置する拡散板を含むバックライトユニットと、
前記バックライトユニットの上部に位置する液晶パネルと、を備え、
前記反射板は、隣り合う前記側面部が成し且つ鋭角を有する少なくとも１つの角部を含み、
前記隣り合う側面部が成す角部に、輝度向上部が備えられる、異形液晶表示装置。
【請求項２】
前記輝度向上部は、前記反射板の底面と鈍角を成すように傾いている、請求項１に記載の異形液晶表示装置。
【請求項３】
前記鈍角は、１１０〜１５０°である、請求項２に記載の異形液晶表示装置。
【請求項４】
前記輝度向上部は、三角形状を有し、該三角形状の１つの頂点は、前記隣り合う側面部の間における交差線上に位置して、該三角形状の他の２つの頂点は、前記隣り合う側面部と前記底面の間における交差線上にそれぞれ位置する、請求項１に記載の異形液晶表示装置。
【請求項５】
前記輝度向上部は、光を拡散するパターンを含む、請求項１に記載の異形液晶表示装置。
【請求項６】
前記輝度向上部は、前方から凹んだ曲面を含む、請求項１に記載の異形液晶表示装置。
【請求項７】
前記輝度向上部は、四角形状を有し、該四角形状の２つの頂点は、前記隣り合う側面部と前記底面の間における交差線上にそれぞれ位置し、該四角形状の他の２つの頂点は、前記隣り合う側面部の縁部にそれぞれ位置する、請求項１に記載の異形液晶表示装置。
【請求項８】
前記側面部は、前記底面と鈍角を成す、請求項１に記載の異形液晶表示装置。
【請求項９】
前記輝度向上部と前記底面との成す角度は、前記側面部と前記底面との成す鈍角以上である、請求項８に記載の異形液晶表示装置。
【請求項１０】
前記反射板は、３つの角部のそれぞれが鋭角を有する三角形状であり、
前記輝度向上部は、前記三角形の反射板における３つの角部のうちの少なくとも１つに位置する、請求項８に記載の異形液晶表示装置。
【請求項１１】
前記底面は、前記複数のＬＥＤのそれぞれが貫通する複数の貫通ホールを含む、請求項１に記載の異形液晶表示装置。
【請求項１２】
前記複数のＬＥＤのそれぞれの上には、拡散レンズが備えられる、請求項８に記載の異形液晶表示装置。
【請求項１３】
前記ボトムフレームは、下面と、前記下面の縁部から上向きに折り曲げられた側面を含む、請求項８に記載の異形液晶表示装置。
【請求項１４】
前記拡散板と前記底面の間に、ガイドサポートが備えられる、請求項１に記載の異形液晶表示装置。
【請求項１５】
前記バックライトユニットは、垂直部と、前記垂直部の内側に備えられる突出部を含むメインフレームをさらに備え、
前記突出部は、前記ボトムフレームの側面に支持され、
前記拡散板の背面縁部は、前記突出部に支持されて、
前記液晶パネルは、前記垂直部に支持される、請求項１に記載の異形液晶表示装置。
【発明の詳細な説明】
【技術分野】
【０００１】
本発明は、異形液晶表示装置に関するものであり、特に鋭角を成す角部において、コーナー暗部が発生しない異形液晶表示装置に関するものである。
【背景技術】
【０００２】
最近、情報技術および移動通信技術などの発展に伴って、情報を視覚的に表示するディスプレイ装置が発展しているが、ディスプレイ装置は、発光特性を有する自己発光型ディスプレイと、外部の要因によって画像をディスプレイできる非発光型ディスプレイに大きく分類される。
【０００３】
非発光型ディスプレイには、液晶表示装置（Ｌｉｑｕｉｄ  Ｃｒｙｓｔａｌ  Ｄｉｓｐｌａｙ  Ｄｅｖｉｃｅ、以下ＬＣＤと略す。）を例に挙げられる。
【０００４】
ここで、ＬＣＤは、自発光要素を有していないので、別途の光源が必要となる。そのため、背面に、光源を備えたバックライトユニットを設け、ＬＣＤ前面に対して光を照射することによって識別可能な画像が具現化される。
【０００５】
バックライトユニットは、その光源に、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ）、そして発光ダイオード（Ｌｉｇｈｔ  Ｅｍｉｔｔｉｎｇ  Ｄｉｏｄｅ：ＬＥＤ、以下、ＬＥＤと略す。）などを用いる。
【０００６】
その中でも、特にＬＥＤは、小型・低消費電力・高信頼性といった特徴から、ディスプレイ用光源として広く利用されている。
【０００７】
そして、バックライトユニットは、ランプの配列構造によってエッジライト型（サイドライト型）と直下型に区分されるが、エッジライト型は、１つ若しくは１対のランプが導光板の一側部に配置される構造を有するか、または２つ若しくは２対のランプが導光板の両側部にそれぞれ配置された構造を有する。また、直下型は、複数のランプが光学シートの下部に配置された構造を有する。
【０００８】
最近、消費者の要求に応じ、大面積の液晶表示装置に対する研究が活発に行われているが、エッジライト型に比べ、直下型が大面積の液晶表示装置にさらに適合する。
【０００９】
一方、このような液晶表示装置は、通常、四角形または矩形であるため、バックライトユニットも四角形または矩形になるよう、設計されているが、かかる液晶表示装置は、高画質、超薄型、軽量、および大面積化に有利というメリットを有する。また、空間の活用性やインテリアおよびデザインの面で長所を持ち、様々な分野に応用することができる。最近は、様々な形の液晶表示装置への要求が高まっている。
【００１０】
特に、様々な形の液晶表示装置において、バックライトユニットも様々な形に対応できる最適の設計をするための研究が活発に進められている。
【発明の概要】
【発明が解決しようとする課題】
【００１１】
本発明は、前述した問題を解決するためのものであって、異形液晶表示装置を提供することを第１目的とする。
【００１２】
特に、異形液晶表示装置の画像品質を向上させることを第２目的とする。
【課題を解決するための手段】
【００１３】
前述した目的を達成するため、本発明は、異形液晶表示装置において、ボトムフレームと、前記ボトムフレーム上に位置するバックライトユニットであって、複数のＬＥＤを含むＬＥＤアセンブリと、底面および前記底面の縁部から上向きに折り曲げられた側面部を有する反射板と、前記複数のＬＥＤおよび前記反射板の底面の上部に離隔して位置する拡散板を含むバックライトユニットと、前記バックライトユニットの上部に位置する液晶パネルと、を備え、前記反射板は、隣り合う前記側面部が成し且つ鋭角を有する少なくとも１つの角部を含み、前記隣り合う側面部が成す角部に、輝度向上部が備えられる、異形液晶表示装置を提供する。
【００１４】
ここで、前記輝度向上部は、前記反射板の底面と鈍角を成すように傾けることができる。
【００１５】
前記鈍角は、１１０〜１５０°であり得る。
【００１６】
前記輝度向上部は、三角形状を有し、該三角形状の１つの頂点は、前記隣り合う側面部の間における交差線上に位置して、他の２つの頂点は、前記隣り合う側面部と前記底面の間における交差線上にそれぞれ位置することができる。
【００１７】
前記輝度向上部は、光を拡散するパターンを含むことができる。
【００１８】
前記輝度向上部は、前方から凹んだ曲面を含むことができる。
【００１９】
前記輝度向上部は、四角形状を有し、該四角形状の２つの頂点は、前記隣り合う側面部と前記底面の間における交差線上にそれぞれ位置し、他の２つの頂点は、前記隣り合う側面部の縁部のそれぞれに位置することができる。
【００２０】
前記側面部は、前記底面と鈍角を成すことができる。
【００２１】
前記輝度向上部と前記底面との成す角度は、前記側面部と前記底面との成す鈍角以上であり得る。
【００２２】
前記反射板は、３つの角部のそれぞれが鋭角を有する三角形状であり、前記輝度向上部は、前記三角形の反射板における３つの角部のうち、少なくとも１つに位置することができる。
【００２３】
前記底面は、前記複数のＬＥＤのそれぞれが貫通する貫通ホールを含むことができる。
【００２４】
前記複数のＬＥＤのそれぞれの上には、拡散レンズを備えることができる。
【００２５】
前記ボトムフレームは、下面と、前記下面の縁部から上向きに折り曲げられた側面を含むことができる。
【００２６】
前記拡散板と前記底面の間に、ガイドサポートを備えることができる。
【００２７】
前記バックライトユニットは、垂直部と、前記垂直部の内側に備えられる突出部を含むメインフレームをさらに備え、前記突出部は、前記ボトムフレームの側面に支持され、前記拡散板の背面縁部は、前記突出部に支持されて、前記液晶パネルは、前記垂直部に支持されることができる。
【発明の効果】
【００２８】
前述したように、本発明によって鋭角を成す角部を含む異形液晶表示装置において、反射板の隣り合う２つの側面部が成す角部に、輝度向上部をさらに備えることで、鋭角を成す角部でコーナー暗部が発生することを防止できる効果がある。
【００２９】
それによって、コーナー暗部を解消するためのＬＥＤの数を増加させなくてもよいので、軽量、薄型、そしてナローベゼルを具現化することができる。また、材料費が上昇し、消費電力が増加するという問題も解消することができる。
【図面の簡単な説明】
【００３０】
【図１】本発明の実施例に係る異形液晶表示装置を概略的に示す分解斜視図である。
【図２Ａ】鋭角を成す角部で暗部が発生する原理を概略的に説明するための概略図である。
【図２Ｂ】鋭角を成す角部で暗部が発生する原理を概略的に説明するための概略図である。
【図３Ａ】一般的な四角形状の液晶表示装置における暗部発生の有無を測定した実験結果である。
【図３Ｂ】鋭角を成す角部を含む液晶表示装置における暗部発生の有無を測定した実験結果である。
【図４Ａ】本発明の実施例に係る反射板を概略的に示す斜視図である。
【図４Ｂ】輝度向上部の一例を概略的に示す斜視図である。
【図４Ｃ】輝度向上部の一例を概略的に示す斜視図である。
【図４Ｄ】輝度向上部の一例を概略的に示す斜視図である。
【図５】モジュール化した図１のＶ‐Ｖに沿って切断した断面図である。
【図６】本発明の実施例に係る異形液晶表示装置の輝度を測定した実験結果である。
【発明を実施するための形態】
【００３１】
以下、図面を参照しながら、本発明に係る実施例を詳細に説明する。
【００３２】
図１は、本発明の実施例に係る異形液晶表示装置を概略的に示す分解斜視図である。
【００３３】
図面に示すように、本発明の実施例に係る異形液晶表示装置１００は、角部が鋭角α（図２Ｂを参照）を成す三角形状の液晶パネル（以下、三角形液晶パネルという。）１１０と、これに対応する三角形状のバックライトユニット（以下、三角形バックライトユニットという。）１２０、そして三角形液晶パネル１１０および三角形バックライトユニット１２０をモジュール化するためのメインフレーム１３０およびボトムフレーム１５０で構成される。ここで、本実施例に係る異形液晶表示装置１００は、角部が９０°の四角形状の一般的な表示装置とは異なる形状を有するので、異形液晶表示装置と称することができる。
【００３４】
このとき、メインフレーム１３０およびボトムフレーム１５０も、三角形液晶パネル１１０および三角形バックライトユニット１２０に対応して、三角形メインフレームおよび三角形ボトムフレームで形成される。
【００３５】
ここで、本発明の実施例に係る異形液晶表示装置１００における三角形液晶パネル１１０と、三角形バックライトユニット１２０、そして三角形メインフレーム１３０および三角形ボトムフレーム１５０の形状は、一例であって、角部が鋭角α（図２Ｂを参照）を成す、如何なる形状の液晶パネル１１０、バックライトユニット１２０、そしてこれらをモジュール化するためのメインフレーム１３０とボトムフレーム１５０を全て含むことができる。
【００３６】
説明の便宜上、図面における方向を定義すると、三角形液晶パネル１１０の表示面が前方に向かうという前提下で、三角形バックライトユニット１２０は、三角形液晶パネル１１０の後方に配置され、これらの外側を三角フレーム状の三角形メインフレーム１３０が取り囲んだ状態で、三角形バックライトユニット１２０の前方に三角形液晶パネル１１０が位置して、三角形バックライトユニット１２０の背面には三角形ボトムフレーム１５０が位置し、前方後方から結合されて一体化される。
【００３７】
それらについて、さらに詳細に説明する。
【００３８】
まず、三角形液晶パネル１１０は、画像を表現するに当たり核心的な部分であって、液晶層（不図示）を介在し、互いに対面して貼り付けられた第１および第２基板１１２、１１４を備える。
【００３９】
このとき、アクティブマトリクス方式という前提下、図面には明白に示していないが、通常、下部基板またはアレイ基板という第１基板１１２の内面側には、複数のゲートラインとデータラインが交差して画素（ｐｉｘｅｌ）が定義され、それぞれの交差点毎に薄膜トランジスタ（Ｔｈｉｎ  Ｆｉｌｍ  Ｔｒａｎｓｉｓｔｏｒ：ＴＦＴ）が設けられて、各画素に形成された透明な画素電極と一対一で対応して接続される。
【００４０】
そして、上部基板またはカラーフィルター基板という第２基板１１４の内面側には、各画素に対応する、例えば赤色（Ｒ）、緑色（Ｇ）、青色（Ｂ）のカラーフィルター、およびこれらのそれぞれを取り囲み、ゲートラインやデータライン、そして薄膜トランジスタなど非表示要素を遮るブラックマトリクスが設けられる。また、これらを覆う透明な共通電極が設けられる。
【００４１】
さらに、図面には明白に示していないが、三角形液晶パネル１１０の両基板１１２、１１４と液晶層（不図示）の境界部分には、液晶の初期分子配列の方向を決定する上部・下部配向膜（不図示）が介在され、その間に充填される液晶層（不図示）が漏れることを防止するため、両基板１１２、１１４の縁部に沿ってシールパターンが形成される。
【００４２】
第１および第２基板１１２、１１４の外面側には、それぞれ上部・下部偏光板１１９ｂ、１１９ａ（図５を参照）が貼り付けられる。
【００４３】
そして、三角形液晶パネル１１０の３つの縁部のうち、１つの縁部には、フレキシブルプリント回路基板のような連結部材１１６を介してプリント回路基板１１７が連結される。このとき、連結部材１１６は、三角形液晶パネル１１０における１つの縁部の側面に貼り付けて連結することができる。
【００４４】
かかる三角形液晶パネル１１０の示す透過率差が外部へ発現できるよう、その背面には、光を供給する三角形バックライトユニット１２０が備えられる。
【００４５】
三角形バックライトユニット１２０は、三角形液晶パネル１１０の背面に位置するＬＥＤアセンブリ１２８と、反射板２００、ＬＥＤアセンブリ１２８および反射板２００の上部に、ＬＥＤアセンブリ１２８および反射板２００とガイドサポート１２７を介し、所定の間隔離隔して位置する拡散板１２３と、拡散板１２３の上部に位置する光学シート１２１を含む。ここで、ガイドサポート１２７は、反射板２００と、ＬＥＤアセンブリ１２８のＰＣＢ１２８ｂ、ボトムフレーム１５０のうち、１つに装着することができる。ガイドサポート１２７がＬＥＤアセンブリ１２８のＰＣＢ１２８ｂに装着される場合、反射板２００は、ガイドサポート１２７が貫通する貫通ホールを備えることができる。ガイドサポート１２７がボトムフレーム１５０に装着される場合、反射板２００およびＰＣＢ１２８ｂは、両方ともガイドサポート１２７が貫通する貫通ホールを備えることができる。本実施例においては、ガイドサポート１２７が反射板２００上に装着された場合を例に挙げる。
【００４６】
ＬＥＤアセンブリ１２８は、三角形バックライトユニット１２０の光源であって、三角形ボトムフレーム１５０の下面１５１の内側に配置される三角板形状のＰＣＢ１２８ｂと、ＰＣＢ１２８ｂ上に所定の間隔離隔して実装される複数のＬＥＤ１２８ａを含む。
【００４７】
このとき、ＰＣＢ１２８ｂは、複数のプレートに分けて構成してもよい。すなわち、ＰＣＢ１２８ｂは、互いに分離した複数のプレートで構成することができる。
【００４８】
複数のＬＥＤ１２８ａのそれぞれは、発光効率および輝度向上のため、発光効率および輝度に優れた青色ＬＥＤチップと、蛍光体として、セリウムがドープされたイットリウムアルミニウムガーネット（ＹＡＧ：Ｃｅ）、すなわち、黄色蛍光体を含むことができる。
【００４９】
かかるＬＥＤチップから放出された青色光は、蛍光体を透過し、蛍光体によって放出された黄色光と混合されることで、拡散板１２３に向かって白色光を発光することになる。
【００５０】
このとき、それぞれのＬＥＤ１２８ａの上部には、光拡散レンズ１２９が設けられる。
【００５１】
ここで、反射板２００には、複数のＬＥＤ１２８ａが通過できる複数の貫通ホール２１３が設けられ、光拡散レンズ１２９を除いたＰＣＢ１２８ｂ、および三角形ボトムフレーム１５０の下面１５１と側面を全て遮る。その結果、複数のＬＥＤ１２８ａの背面に向かう光を、拡散板１２３および光学シート１２１の方に反射させ、光の輝度を向上させる。光拡散レンズ１２９は、対応する貫通ホール２１３を覆うことができる。
【００５２】
このとき、反射板２００の角部には、輝度向上部２３０がさらに備えられることを特徴とする。それにより、角部が鋭角α（図２を参照）を成す異形液晶表示装置１００における角部で暗部が発生することを防止することができる。これについて、後でさらに詳細に説明する。
【００５３】
反射板２００の貫通ホール２１３を介して露出された複数のＬＥＤ１２８ａの上部には、輝度の均一度のための拡散板１２３および光学シート１２１が位置する。
【００５４】
ここで、拡散板１２３および光学シート１２１は、ガイドサポート１２７によって支持され、垂れ下がることが防止される。光学シート１２１は、拡散シートおよび少なくとも１つの集光シートなどを含み、拡散板１２３を通過した光を拡散、または集光し、三角形液晶パネル１１０へさらに均一化された面光源が入射するようにする。
【００５５】
このとき、複数のＬＥＤ１２８ａの上部にそれぞれ位置する光拡散レンズ１２９は、複数のＬＥＤ１２８ａから出射する光の指向角を向上させる働きをする。
【００５６】
したがって、実質的にバックライトユニット１２０内において、色が混合される空間が増加するような結果を得ることができ、色混合された光は、反射板２００によって反射された光と共に拡散板１２３および光学シート１２１を通過する際、さらに均一化された面光源の形で三角形液晶パネル１１０に供給される。
【００５７】
また、ＬＥＤ１２８ａから出射する光の指向角が広くなることで、拡散板１２３とＬＥＤ１２８ａの離間距離を最小化しても、ＬＥＤムラが発生することを防止することができる。
【００５８】
したがって、ＬＥＤアセンブリ１２８の複数のＬＥＤ１２８ａから発光した光は、光拡散レンズ１２９を通って指向角が向上し、拡散板１２３および光学シート１２１を順次通過する際に均一化された高品位の光に加工された後、三角形液晶パネル１１０の全領域に均一に入射し、三角形液晶パネル１１０は、高輝度の画像を外部に表示することになる。
【００５９】
かかる三角形液晶パネル１１０および三角形バックライトユニット１２０は、三角形メインフレーム１３０および三角形ボトムフレーム１５０によって一体にモジュール化される。
【００６０】
三角形メインフレーム１３０は、三角フレーム状であって、三角形液晶パネル１１０と拡散板１２３および光学シート１２１の背面の縁部を支持し、三角形液晶パネル１１０と三角形バックライトユニット１２０の位置を区分しながら、ＬＥＤアセンブリ１２８と拡散板１２３との間の光学ギャップ、またはエアギャップを維持する。
【００６１】
すなわち、本発明の実施例に係る直下型バックライトユニット１２０は、ＬＥＤアセンブリ１２８と拡散板１２３との間に所定の間隔を持つ光学ギャップ、またはエアギャップＧ（図５を参照、以下、光学ギャップという。）を有するように形成しなければならないが、光学ギャップＧ（図５を参照）は、ＬＥＤアセンブリ１２８の複数のＬＥＤ１２８ａから出射する光の色が混合される空間であって、複数のＬＥＤ１２８ａから出射した光が均一に色混合されて拡散板１２３に入射するようにしたり、または複数のＬＥＤ１２８ａから発生した高温の熱によって拡散板１２３が熱膨張することを防止したりする働きをする。
【００６２】
メインフレーム１３０は、垂直部１３１を備えることができる。ここで、光学ギャップＧ（図５を参照）を具現化するため、ＬＥＤアセンブリ１２８と拡散板１２３との間の間隔を維持するための突出部１３３が垂直部１３１の内側に設けられる。
【００６３】
突出部１３３上に、拡散板１２３および光学シート１２１の背面の縁部が支持されて、貼り付け・固定され、垂直部１３１の上部に、三角形液晶パネル１１０が両面テープのような接着パッド１１８（図５を参照）を介して貼り付け・固定される。
【００６４】
また、三角形液晶パネル１１０および三角形バックライトユニット１２０が配置され、液晶表示装置１００の全体を組み合わせるときに基になる三角形ボトムフレーム１５０は、三角板形状の下面１５１と、下面１５１の縁部が垂直に折り曲げられた側面１５３とからなる。
【００６５】
かかる三角形メインフレーム１３０と三角形ボトムフレーム１５０は、三角形メインフレーム１３０が、三角形液晶パネル１１０および三角形バックライトユニット１２０の縁部を取り囲んだ状態で、三角形バックライトユニット１２０の背面を覆う三角形ボトムフレーム１５０を、三角形メインフレーム１３０と組み合わせて締結することで、一体にモジュール化される。
【００６６】
三角形メインフレーム１３０は、サポートメイン、またはメインサポート、モールドフレームとも呼ばれ、三角形ボトムフレーム１５０は、ボトムカバー、または下部カバーとも呼ばれる。
【００６７】
ここで、本発明の実施例に係る異形液晶表示装置１００において、液晶パネル１１０およびバックライトユニット１２０は、全ての角部が鋭角α（図２Ｂを参照）を成す三角形状であるため、鋭角α（図２Ｂを参照）を成す角部において暗部が発生することがある。しかしながら、本発明の実施例に係る異形液晶表示装置１００は、反射板２００の角部に輝度向上部２３０をさらに備えることで、異形液晶表示装置１００の鋭角α（図２Ｂを参照）を成す角部において暗部が発生することを防止することができる。
【００６８】
図２Ａ〜図２Ｂは、鋭角αを成す角部において暗部が発生する原理を概略的に説明するための概略図である。図３Ａは、一般的な四角形状の液晶表示装置における暗部発生有無を測定した実験結果であり、図３Ｂは、鋭角αを成す角部を含む液晶表示装置における暗部発生有無を測定した実験結果である。
【００６９】
図２Ａに示すように、液晶表示装置が四角形、または矩形からなる場合、液晶表示装置の角部においては、４つのＬＥＤ１２８ａから発光した光の色が混合されて、４つのＬＥＤ１２８ａによる輝度を確保することになる。
【００７０】
それに対し、図２Ｂに示すように、液晶表示装置が鋭角αを成す角部を含む場合は、液晶表示装置の角部において、３つのＬＥＤ１２８ａから発光した光のみが色混合されるので、３つのＬＥＤ１２８ａによる輝度を確保することになる。
【００７１】
したがって、図３Ａと図３Ｂを比較すると、角部において４つのＬＥＤ１２８ａによる輝度を確保できる四角形または矩形の液晶表示装置の角部に比べ、３つのＬＥＤ１２８ａによる輝度を確保できる液晶表示装置は、鋭角αを成す角部における輝度が中央領域における輝度より低下し、暗く見えるコーナー暗部が大きく形成されたことが分かる。
【００７２】
かかる鋭角αを成す角部で発生するコーナー暗部は、バックライトユニットおよび液晶表示装置の画像品質を低下させる原因となる。
【００７３】
一方、かかるコーナー暗部を解消するため、ＬＥＤ１２８ａの数を増加させることができるが、ＬＥＤ１２８ａの数を増加させる場合、材料費が上昇し、放熱問題や消費電力の増加といった問題が引き起こされ、最近、要求されている軽量・薄型・ナローベゼルを具現化することが難しいという短所を有する。
【００７４】
図４Ａは、本発明の実施例に係る反射板を概略的に示す斜視図であり、図４Ｂ〜図４Ｄは、輝度向上部の様々な例を概略的に示す斜視図である。図４Ａにおいては、便宜上、ガイドサポート１２７を省略した。
【００７５】
図４Ａに示すように、本発明の実施例に係る反射板２００は、三角形状の底面２１０と、底面２１０の３つの縁部から上向きに折り曲げられた側面部２２０とを含むが、側面部２２０は、底面２１０から鈍角を成し、一定に傾いて形成される。
【００７６】
底面２１０上には、三角形バックライトユニット（図１の１２０）の複数のＬＥＤ（図２Ｂの１２８ａ）がそれぞれ通過する貫通ホール２１３が備えられ、かかる反射板２００は、ＰＥＴ（ポリエチレンテレフタレート）基材の上部に、反射率の高いホワイトポリエステルフィルムが積層された構造を有する。
【００７７】
このとき、反射板２００の側面部２２０は、三角形ボトムフレーム（図１の１５０）の側面（図１の１５３）の高さｈ１に対応する高さｈ２を有するように形成され、メインフレーム１３０の上部に位置する拡散板（図１の１２３）および光学シート（図１の１２１）と、三角形ボトムフレーム（図１の１５０）の下面（図１の１５１）に位置するＬＥＤアセンブリ（図１の１２８）との間の光学ギャップＧ（図５を参照）の縁部をガイド（若しくは定義）するようにする。
【００７８】
したがって、三角形バックライトユニット（図１の１２０）のＬＥＤアセンブリ（図１の１２８）のＬＥＤ（図２Ｂの１２８ａ）から発光した光が前方の拡散板（図１の１２３）に向かって出射する過程において、ＬＥＤ（図２Ｂの１２８ａ）の光指向角によって、前方ではなく、側面に出射する光は、反射板２００の側面部２２０によってガイドされ、前方の拡散板（図１の１２３）に向かうことになる。
【００７９】
その結果、実質的にＬＥＤ（図２Ｂの１２８ａ）が位置していない三角形液晶パネル（図１の１１０）における縁部領域にも光を供給することができ、三角形液晶パネル（図１の１１０）の全領域に光を均一に供給することができる。
【００８０】
特に、本発明の実施例に係る反射板２００は、隣り合う側面部２２０同士が成す角部において、内側に輝度向上部２３０をさらに備えることを特徴とする。
【００８１】
輝度向上部２３０は、隣り合う側面部２２０同士が成す角部において、平面的に三角形状を成すが、反射板２００の側面部２２０に対応する２つの辺２３１ａ、２３１ｂの長さが同じであり、二等辺三角形の形状となる。
【００８２】
かかる二等辺三角形状の輝度向上部２３０は、長さの同じ２つの辺２３１ａ、２３１ｂが成す頂点Ａが、隣り合う側面部２２０が接触する上側角部と接触し、底辺２３１ｃは、隣り合う側面部２２０が接触する下側角部Ｄから底面２１０の中心部に向かって所定の間隔離隔するように位置する。
【００８３】
このとき、輝度向上部２３０の２つの辺２３１ａ、２３１ｂは、隣り合う側面部２２０の内側面と密着し、底辺２３１ｃの両角部Ｂ、Ｃは、隣り合う側面部２２０の内側にそれぞれ接触するように形成する。
【００８４】
したがって、かかる輝度向上部２３０も底面２１０から鈍角α´（図５を参照）を成し、一定に傾いて形成される。
【００８５】
かかる輝度向上部２３０により、本発明の実施例に係る異形液晶表示装置（図１の１００）は、鋭角（図２Ｂのα）を成す角部においてコーナー暗部が発生することを防止することができる。
【００８６】
これについてさらに詳細に説明すると、本発明の実施例に係る異形液晶表示装置（図１の１００）は、反射板２００の隣り合う２つの側面部２２０が成す角部に輝度向上部２３０をさらに備えることで、その領域における輝度を向上させることができる。
【００８７】
ここで、輝度向上部２３０が備えられていない場合は、角部に隣接したＬＥＤアセンブリ（図１の１２８）のＬＥＤ（図２Ｂの１２８ａ）から発光した光が、互いに別の方向に向かって傾いてなる隣り合う２つの側面部２２０によって、それぞれ互いに別の方向に反射されるので、輝度が減少することになる。
【００８８】
それに対し、本発明の実施例のように、隣り合う２つの側面部２２０同士が成す角部に対応して輝度向上部２３０を備えることで、角部に隣接したＬＥＤ（図２Ｂの１２８ａ）から発光した光は、輝度向上部２３０によって均一方向に反射され、その領域における輝度が向上することになる。
【００８９】
その結果、異形液晶表示装置（図１の１００）における鋭角（図２Ｂのα）を成す角部において、コーナー暗部が発生することを防止することができる。
【００９０】
ここで、輝度向上部２３０の形状は、側面部２２０の高さｈ２によって正三角形など様々な形となり得るが、底面２１０と接触する底辺２１３ｃが、隣り合う側面部２２０の下側角部Ｄから底面２１０の中心部に向かって離隔して位置する範囲であれば、制限されない。
【００９１】
すなわち、図４Ｂに示すように、輝度向上部２３０は、四角形状であってもよいが、このように輝度向上部２３０を四角形状に形成する場合、輝度向上部２３０と底面２１０との間の角度α´（図５を参照）を調節する過程において、三角形状の輝度向上部２３０と同じ角度α´（図５を参照）を具現化するためには、底辺２１３ｃを底面２１０の中心部に向かって、隣り合う側面部２２０の下側角部Ｄからさらに離隔させなければならないので、異形液晶表示装置（図１の１００）の角部で輝度向上部２３０が視認される可能性がある。
【００９２】
また、図４Ｃに示すように、輝度向上部２３０が前方から凹んだ曲面を有するように形成することもできる。
【００９３】
このように輝度向上部２３０が前方から凹んだ曲面を有するようにした場合、輝度向上部２３０によって反射される光量を、さらに増加させることができるので、異形液晶表示装置（図１の１００）の角部における輝度をさらに向上させることができる。
【００９４】
また、図４Ｄに示すように、輝度向上部２３０は複数のパターン２３３をさらに備えることもできるが、パターン２３３は、光をより均一に拡散させて反射すると共に、均一光に加工することもできる。
【００９５】
パターン２３３は、楕円型パターンやポリゴンパターン、ホログラムパターンなど様々に形成することができる。底面２１０から側面部２２０の上部端部に向かうほど単位面積当たりの密度（若しくは個数）が増加するように形成し、輝度向上部２３０によって反射される光のうち、拡散板（図１の１２３）に隣接するほどより多くの光が散乱・拡散するようにすることができる。
【００９６】
図５は、モジュール化した図１のＶ‐Ｖに沿って切断した断面図であり、図６は、本発明の実施例に係る異形液晶表示装置の輝度を測定した実験結果である。
【００９７】
図面に示すように、三角板形状のＰＣＢ１２８ｂと、ＰＣＢ１２８ｂ上に複数のＬＥＤ１２８ａが実装されたＬＥＤアセンブリ１２８と、ＬＥＤ１２８ａの上部にそれぞれＬＥＤ１２８ａに対応して位置する光拡散レンズ１２９と、貫通ホール２１３を介してＬＥＤ１２８ａを露出する反射板２００、そしてＬＥＤアセンブリ１２８上に拡散板１２３および光学シート１２１が積層されて、三角形バックライトユニット（図１の１２０）を構成する。光拡散レンズ１２９は、該当貫通ホール２１３を覆うことができる。
【００９８】
また、かかる三角形バックライトユニット（図１の１２０）の上部に、第１および第２基板１１２、１１４、そしてその間に介在される液晶層（不図示）で構成される三角形液晶パネル１１０が位置し、第１および第２基板１１２、１１４の各外面側には、特定の光のみを選択的に透過させる偏光板１１９ａ、１１９ｂが貼り付けられる。
【００９９】
ここで、本発明の実施例に係る三角形液晶パネル１１０は、第１基板１１２と第２基板１１４が互いに同じ形に形成されて、第１基板１１２および第２基板１１４の端部が互いに一致することになり、第１基板１１２上に備えられた複数の配線（不図示）の端部に備えられるパッド（不図示）は、その側面が、第１基板１１２の側面と第２基板１１４の側面との間に露出されることができる。
【０１００】
かかる三角形液晶パネル１１０の一側には、連結部材（図１の１１６）を介してプリント回路基板（図１の１１７）が連結されるが、そのとき、連結部材（図１の１１６）は、三角形液晶パネル１１０の側面に貼り付けられて連結される。
【０１０１】
かかる三角形バックライトユニット（図２の１２０）と、三角形液晶パネル１１０は、三角形ボトムフレーム１５０および三角形メインフレーム１３０によって一体にモジュール化される。
【０１０２】
これについてさらに詳細に説明すると、三角形ボトムフレーム１５０の下面１５１上にＬＥＤアセンブリ１２８が配置され、ＬＥＤアセンブリ１２８のそれぞれのＬＥＤ１２８ａの上部に光拡散レンズ１２９が位置し、ＬＥＤアセンブリ１２８の上部に、貫通ホール２１３を介してＬＥＤ１２８ａを露出するよう、反射板２００が位置する。
【０１０３】
そして、ＬＥＤアセンブリ１２８の上部に、拡散板１２３が所定の間隔離隔して位置するが、拡散板１２３は、ガイドサポート１２７によって支持され、拡散板１２３の上部には、光学シート１２１が位置する。
【０１０４】
かかるＬＥＤアセンブリ１２８と拡散板１２３、そして光学シート１２１を含む三角形バックライトユニット（図１の１２０）は、三角形メインフレーム１３０によって縁部が取り囲まれるが、拡散板１２３および光学シート１２１は、三角形メインフレーム１３０の垂直部１３１の内側に突出した突出部１３３上に、その背面の縁部が支持されて、貼り付け・固定される。
【０１０５】
そして、光学シート１２１の上部には、三角形メインフレーム１３０の垂直部１３１によって背面の縁部の一部が支持される三角形液晶パネル１１０が、接着パッド１１８を介して垂直部１３１に貼り付け・固定される。
【０１０６】
ここで、拡散板１２３および光学シート１２１の背面の縁部が、三角形メインフレーム１３０の突出部１３３上に配置・支持されることで、拡散板１２３と、ＬＥＤアセンブリ１２８の複数のＬＥＤ１２８ａは、三角形メインフレーム１３０およびガイドサポート１２７によって所定の間隔離隔して位置することになり、光学ギャップＧを維持することになる。
【０１０７】
そして、三角形メインフレーム１３０の垂直部１３１の内側面は、三角形ボトムフレーム１５０の側面１５３の外側面と密着し、三角形メインフレーム１３０と三角形ボトムフレーム１５０とが互いに組み合わされ、締結されることで、三角形メインフレーム１３０と三角形バックライトユニット（図１の１２０）は、三角形メインフレーム１３０および三角形ボトムフレーム１５０によって一体にモジュール化される。
【０１０８】
このように、モジュール化した異形液晶表示装置１００は、三角形バックライトユニット（図１の１２０）の複数のＬＥＤ１２８ａから発光した光が光拡散レンズ１２９を通過する過程において、指向角が向上し、前方の拡散板１２３に向かって進むことになり、拡散板１２３および光学シート１２１を通過する過程において、均一化された面光源の形で三角形液晶パネル１１０に提供される。
【０１０９】
複数のＬＥＤ１２８ａから発光した光のうち、ＬＥＤ１２８ａの背面に向かう光は、反射板２００の底面２１０によって反射され、ＬＥＤ１２８ａの前方に位置する三角形液晶パネル１１０に向かって進み、光の輝度を向上させる。
【０１１０】
このとき、反射板２００の底面２１０によって反射された光のうち、一部の光は、三角形液晶パネル１１０に向かう方向ではなく、側面へ反射されることもある。また、ＬＥＤ１２８ａから発光した光は、光拡散レンズ１２９によって指向角が広くなり、光拡散レンズ１２９の側面に進む光が発生するが、このように側面へ反射、または進行する光も反射板２００の側面部２２０によって反射され、拡散板１２３および光学シート１２１に向かって進むので、光の輝度が向上する。
【０１１１】
反射板２００の側面部２２０によって反射された光は、三角形液晶パネル１１０の縁部に供給され、三角形液晶パネル１１０の全領域に光が均一に供給される。
【０１１２】
特に、本発明の実施例に係る異形液晶表示装置１００は、鋭角（図２Ｂのα）を成す角部に対応し、反射板２００の隣り合う２つの側面部２２０同士が成す角部に輝度向上部２３０をさらに備えることを特徴とする。
【０１１３】
反射板２００に備えられる輝度向上部２３０は、隣接して位置するＬＥＤアセンブリ１２８のＬＥＤ１２８ａから発光した光を均一方向に反射させることができ、鋭角（図２Ｂのα）を成す角部における輝度を向上させることができる。
【０１１４】
その結果、異形液晶表示装置１００の角部において、コーナー暗部が発生することを防止することができる。
【０１１５】
図６は、本発明の実施例に係る異形液晶表示装置１００の輝度を測定した実験結果であって、図６を見ると、角部が鋭角（図２Ｂのα）を成す異形液晶表示装置１００において、角部の輝度が中央領域の輝度に比べ、大きく変わらないことが分かる。
【０１１６】
図３Ｂと比較してみると、本発明の実施例に係る異形液晶表示装置１００は、その角部におけるコーナー暗部が発生していないと言える程度であって、本発明の実施例に係る異形液晶表示装置１００は、反射板２００の角部に輝度向上部２３０を備えることで、実質的に角部においてコーナー暗部が発生することを防止できるのである。
【０１１７】
このとき、輝度向上部２３０と底面２１０が成す角度α´は、底面２１０と側面部２２０が成す角度と同一にすることができ、底面２１０と側面部２２０が成す角度に比べて、より大きく形成することもできる。
【０１１８】
ここで、輝度向上部２３０と底面２１０が成す角度α´は、反射板２００のサイズなどによって流動的に決定することができるが、輝度向上部２３０と底面２１０が成す鈍角α´は、１１０〜１５０°であることが望ましい。
【０１１９】
輝度向上部２３０と底面２１０が成す角度α´が１１０°以下である場合、三角形バックライトユニット（図１の１２０）の複数のＬＥＤ１２８ａから発光した光を、三角形液晶パネル１１０に向かってガイドすることができない。すなわち、輝度向上部２３０によって反射された光は、三角形液晶パネル１１０ではなく、反射板２００に向かって反射され得るので、輝度向上部２３０と底面２１０が成す角度α´は、１１０°以上であることが望ましい。
【０１２０】
また、輝度向上部２３０と底面２１０が成す鈍角α´が１５０°以上となる場合、角部においては、依然としてコーナー暗部が発生するので、実質的に輝度向上部２３０を備えた意味がなくなってしまう。
【０１２１】
前述したように、本発明の実施例に係る異形液晶表示装置１００は、三角形バックライトユニット（図１の１２０）の反射板２００における隣り合う２つの側面部２２０が成す角部に、輝度向上部２３０をさらに備えることで、鋭角（図２Ｂのα）を成す角部において、コーナー暗部が発生することを防止することができる。
【０１２２】
その結果、コーナー暗部を解消するため、ＬＥＤ１２８ａの数を増加させなくてもよいので、軽量・薄型・ナローベゼルを具現化することができ、材料費が上昇したり、消費電力が増加したりする問題も解消することができる。
【０１２３】
一方、本発明の実施例に係るメインフレーム１３０は、モールド材質で形成してもよく、アルミニウムを押し出して形成してもよい。また、突出部１３３を省略し、垂直部１３１の上部に、拡散板１２３および液晶パネル１１０を貼り付け・固定することもできる。
【０１２４】
その場合、拡散板１２３と液晶パネル１１０との間に、粘着部材（不図示）を介在することができる。
【０１２５】
そして、拡散板１２３の上部の光学シート１２１を取り除き、拡散板１２３を、集光性能と拡散性能が組み合わされた複合光学シートにすることもできる。
【０１２６】
このような本発明の実施例に係る異形液晶表示装置１００は、複数の液晶表示装置をタイル状に敷き詰めるビデオウォールといったマルチディスプレイ装置や、３６０°全方位で画像を具現化する立体ディスプレイ装置に適用することができる。
【０１２７】
本発明は、前述した実施例に限定されるものではなく、本発明の趣旨を逸脱しない範囲内で様々に変更して実施することができる。
【符号の説明】
【０１２８】
２００…反射板、２１０…底面、２２０…側面部、２３０…輝度向上部（２３１ａ、２３１ｂ…２つの辺、２３１ｃ…底辺）
【図１】
2019091036.tif 000003
【図２Ａ】
2019091036.tif 000004
【図２Ｂ】
2019091036.tif 000005
【図３Ａ】
2019091036.tif 000006
【図３Ｂ】
2019091036.tif 000007
【図４Ａ】
2019091036.tif 000008
【図４Ｂ】
2019091036.tif 000009
【図４Ｃ】
2019091036.tif 000010
【図４Ｄ】
2019091036.tif 000011
【図５】
2019091036.tif 000012
【図６】
2019091036.tif 000013